Podtech/llm-jp-corpus-v4-ja_patent huggingface dataset:
【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
遊技者所有の遊技用価値を用いて持点を加算する遊技用装置と通信可能に接続するための接続部と、複数種類の図柄を可変表示させる可変表示装置とを備え、持点で賭数を設定することにより１ゲームが開始可能になるとともに前記可変表示装置に表示結果が導出されることにより１ゲームが終了し、該可変表示装置の表示結果により発生した入賞に応じて持点が加算されるスロットマシンであって、
前記スロットマシンの前面を開閉可能に覆っている前面部材と、
該前面部材を閉塞状態でロックするロック手段と、
前記遊技用装置から送信されてくる前記ロック手段によるロックの解除を指示するための情報を受信したときに、新たなゲームを開始できない遊技禁止状態にするための遊技禁止手段と、
前記遊技禁止手段により前記遊技禁止状態にしてから前記ロック手段によるロックを解除させる制御を行なう解除制御手段とを含み、
該解除制御手段は、前記ロック手段によるロックの解除を指示するための情報が受信されたときにゲームが実行中である場合には当該ゲームの終了後まで前記ロック手段によるロックを解除させる制御を遅延させる遅延手段を含む、スロットマシン。
【請求項２】
遊技者所有の遊技用価値を用いて持点を加算する遊技用装置と通信可能に接続するための接続部と、複数種類の図柄を可変表示させる可変表示装置とを備え、持点で賭数を設定することにより１ゲームが開始可能になるとともに前記可変表示装置に表示結果が導出されることにより１ゲームが終了し、該可変表示装置の表示結果により発生した入賞に応じて持点が加算されるスロットマシンであって、
前記スロットマシンの前面を開閉可能に覆っている前面部材と、
該前面部材を閉塞状態でロックするロック手段と、
前記遊技用装置から送信されてくる前記ロック手段によるロックの解除を指示するための情報を受信したときに、新たなゲームを開始できない遊技禁止状態にするための遊技禁止手段と、
前記遊技禁止手段により前記遊技禁止状態にしてから前記ロック手段によるロックを解除させる制御を行なう解除制御手段とを含み、
該解除制御手段は、前記ロック手段によるロックの解除を指示するための情報が受信されたときにゲームが実行中の場合には前記ロックの解除を指示するための情報を受付けない受信拒否手段を含む、スロットマシン。
【手続補正２】
【補正対象書類名】明細書
【補正対象項目名】００１２
【補正方法】変更
【補正の内容】
【００１２】
（１）  遊技者所有の遊技用価値（プリペイド残高、貯メダル数）を用いて持点を加算する遊技用装置（カードユニット３）と通信可能に接続するための接続部（コネクタ２２０）と、複数種類の図柄を可変表示させる可変表示装置（リール２Ｌ、２Ｃ、２Ｒ）とを備え、持点で賭数を設定することにより１ゲームが開始可能になるとともに前記可変表示装置に表示結果が導出されることにより１ゲームが終了し、該可変表示装置の表示結果により発生した入賞に応じて持点が加算されるスロットマシン（スロットマシン２）であって、
前記スロットマシンの前面を開閉可能に覆っている前面部材（前面扉２ｂ）と、
該前面部材を閉塞状態でロックするロック手段（前面扉開放ソレノイド１１０、係合突起６ａ、６ｂ，係合受け片７ａ、７ｂ）と、
前記遊技用装置から送信されてくる前記ロック手段によるロックの解除を指示するための情報（図２２；前面扉開放要求有）を受信したときに、新たなゲームを開始できない遊技禁止状態（賭数操作無効状態）にするための遊技禁止手段（図２２；持点制御基板１１７および遊技制御基板１１６によるＢＥＴ禁止）と、
前記遊技禁止手段により前記遊技禁止状態にしてから前記ロック手段によるロックを解除させる制御を行なう解除制御手段（図２２；持点制御基板１１７によるロック解除）とを含み、
該解除制御手段は、前記ロック手段によるロックの解除を指示するための情報（図２２；前面扉開放要求有）が受信されたときにゲームが実行中である場合には当該ゲームの終了後まで前記ロック手段によるロックを解除させる制御を遅延させる遅延手段（図２２；持点制御基板１１７はウエイト時間が経過するまで（またはゲーム中である場合にはゲーム終了まで）前面枠開放ソレノイド１１０の励磁を遅延させる）を含む。
あるいは、該解除制御手段は、前記ロック手段によるロックの解除を指示するための情報が受信されたときにゲームが実行中の場合には前記ロックの解除を指示するための情報を受付けない受信拒否手段を含む。
【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
前胴回り域と、後胴回り域と、前記前胴回り域と前記後胴回り域との間に位置する股下域と、
前記前胴回り域から前記後胴回り域に向かう製品長手方向と、
前記製品長手方向と直交する製品幅方向と、
前記股下域を跨ぎ、前記前胴回り域及び前記後胴回り域の少なくとも一方に延びる吸収体と、
前記後胴回り域の製品幅方向の外側端部に配置され、前記前胴回り域に止着する一対のファスニングテープと、
前記使い捨ておむつの前記製品幅方向中心を跨がり、前記製品幅方向に伸縮性を有するウエスト伸縮シートと、
前記前胴回り域及び前記後胴回り域において、製品幅方向に沿って延び、使い捨ておむつを着用者の身体に保持する胴回り保持部と、を備える使い捨ておむつであって、
前記ウエスト伸縮シートは、前記後胴回り域に配置された後側ウエスト伸縮シートを有しており、
前記後胴回り域の前記胴回り保持部は、前記ファスニングテープの係合部分が設けられた領域から前記製品幅方向に延びる範囲であり、
前記後側ウエスト伸縮シートが配置された第１領域と、前記第１領域よりも製品幅方向外側に位置し、前記後側ウエスト伸縮シートが配置されていない第２領域と、を有しており、
前記第２領域の前記製品幅方向の伸長率は、前記第１領域の前記製品幅方向の伸長率よりも低く、
前記第１領域の前記製品幅方向端部における前記製品幅方向の伸長率は、前記第１領域の前記製品幅方向中央における前記製品幅方向の伸長率よりも低く、
前記第１領域と前記第２領域は、前記後胴回り域の前記胴回り保持部の前側端部と前記後胴回り域の前記胴回り保持部の後側端部とに跨がって配置されており、
前記使い捨ておむつは、少なくとも前記後胴回り域において前記吸収体の非肌当接面側に配置される外装シートを備え、
前記後側ウエスト伸縮シートは、前記第１領域の前記製品幅方向中央において前記外装シートに接合され、前記第１領域の前記製品幅方向端部において前記外装シートに接合されていない、使い捨ておむつ。
【請求項２】
前記第１領域の前記製品幅方向端部における製品長手方向の長さは、前記第１領域の前記製品幅方向中央における製品長手方向の長さよりも長い、請求項１に記載の使い捨ておむつ。
【請求項３】
前記ファスニングテープは、前記外装シートに重なる基部と、前記外装シートよりも前記製品幅方向外側に延出する延出部と、を備え、
前記基部の前記製品幅方向の内側端部よりも前記製品幅方向内側には、前記第２領域が配置される、請求項１又は請求項２に記載の使い捨ておむつ。
【請求項４】
前記使い捨ておむつの後側端部は、前記使い捨ておむつの自然状態において、製品幅方向中心が製品幅方向外側よりも前記製品長手方向内側に凹む湾曲形状を有する、請求項１から請求項３のいずれかに記載の使い捨ておむつ。
【請求項５】
前記後側ウエスト伸縮シートの前側端部は、前記使い捨ておむつを伸長させた伸長状態において、製品幅方向中心が製品幅方向外側よりも前記製品長手方向外側に凹む湾曲形状を有する、請求項１から請求項４のいずれかに記載の使い捨ておむつ。
【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
外周面に複数の図柄が設けられたリールを備え、所定の開始操作に基づいてリールを回転させ、所定の停止操作に基づいてリールを停止させる遊技が実行可能な回胴式遊技機において、
特定図柄の停止表示を可能とする特定役を含む複数の遊技役から当選役を決定するための役抽選を行う役抽選手段と、
遊技の進行が遅延する遅延状態を制御する遅延状態制御手段と、を備え、
特定の条件が満たされた後の所定の遊技において、遅延状態を発生可能とすることを特徴とする回胴式遊技機。
【請求項２】
請求項１に記載の回胴式遊技機において、
前記特定の条件は、前記特定役の当選または入賞であることを特徴とする回胴式遊技機。
【手続補正２】
【補正対象書類名】明細書
【補正対象項目名】０００７
【補正方法】変更
【補正の内容】
【０００７】
上述した課題の少なくとも一部を解決するために、本発明の回胴式遊技機は次の構成を採用した。すなわち、
外周面に複数の図柄が設けられたリールを備え、所定の開始操作に基づいてリールを回転させ、所定の停止操作に基づいてリールを停止させる遊技が実行可能な回胴式遊技機において、
特定図柄の停止表示を可能とする特定役を含む複数の遊技役から当選役を決定するための役抽選を行う役抽選手段と、
遊技の進行が遅延する遅延状態を制御する遅延状態制御手段と、を備え、
特定の条件が満たされた後の所定の遊技において、遅延状態を発生可能とすることを特徴とする。
また、前記特定の条件は、前記特定役の当選または入賞であることを特徴とする。
【手続補正書】
【提出日】平成27年5月7日(2015.5.7)
【手続補正１】
【補正対象書類名】明細書
【補正対象項目名】０００２
【補正方法】変更
【補正の内容】
【０００２】
従来より、特別遊技の実行開始時に特別遊技の種類を報知せず、特別遊技の実行中に特別遊技の種類を報知する演出を行う遊技機が存在する（例えば、特許文献１）。
【手続補正２】
【補正対象書類名】明細書
【補正対象項目名】０００４
【補正方法】変更
【補正の内容】
【０００４】
しかしながら、特許文献１に記載の遊技機では、特別遊技の興趣性を向上させるという点において改善の余地があった。
【手続補正３】
【補正対象書類名】明細書
【補正対象項目名】０００５
【補正方法】変更
【補正の内容】
【０００５】
それ故、本発明の目的は、特別遊技の興趣性を向上させることが可能な遊技機を提供することである。
【手続補正４】
【補正対象書類名】明細書
【補正対象項目名】０００７
【補正方法】変更
【補正の内容】
【０００７】
本発明に係る遊技機は、始動条件の成立に基づいて特別遊技を行うか否かの特別遊技判定を行う判定手段と、図柄表示手段に所定の図柄を変動させてから停止させることにより前記特別遊技判定の結果を報知する図柄表示制御手段と、特別遊技が行われることを示す第１判定図柄が前記図柄表示制御手段によって停止されると、特定入賞領域を第１回数開放する第１特別遊技を行う第１特別遊技実行手段と、特別遊技が行われることを示す第２判定図柄が前記図柄表示制御手段によって停止されると、前記特定入賞領域を前記第１回数よりも多い第２回数開放する第２特別遊技を行う第２特別遊技実行手段と、前記特別遊技が行われている間の演出を制御する演出制御手段とを備え、前記演出制御手段は、前記特別遊技が行われている間、前記特定入賞領域が所定回数開放された後にさらに前記特定入賞領域が開放されるか否かを示す継続示唆演出を行い、当該継続示唆演出の後、さらに前記特定入賞領域が開放されないことを示す第１演出を行う第１演出実行手段と、前記特別遊技が行われている間、前記特定入賞領域が所定回数開放された後にさらに前記特定入賞領域が開放されるか否かを示す継続示唆演出を行い、当該継続示唆演出の後、さらに前記特定入賞領域が開放されることを示す第２演出を行う第２演出実行手段と、を含み、前記図柄表示制御手段によって前記第２判定図柄が停止された場合の方が、前記図柄表示制御手段によって前記第１判定図柄が停止された場合よりも、前記第２演出が行われやすい。
【手続補正５】
【補正対象書類名】明細書
【補正対象項目名】０００９
【補正方法】変更
【補正の内容】
【０００９】
本発明によれば、特別遊技の興趣性を向上することができる。
【手続補正６】
【補正対象書類名】特許請求の範囲
【補正対象項目名】全文
【補正方法】変更
【補正の内容】
【特許請求の範囲】
【請求項１】
始動条件の成立に基づいて特別遊技を行うか否かの特別遊技判定を行う判定手段と、
図柄表示手段に所定の図柄を変動させてから停止させることにより前記特別遊技判定の結果を報知する図柄表示制御手段と、
特別遊技が行われることを示す第１判定図柄が前記図柄表示制御手段によって停止されると、特定入賞領域を第１回数開放する第１特別遊技を行う第１特別遊技実行手段と、
特別遊技が行われることを示す第２判定図柄が前記図柄表示制御手段によって停止されると、前記特定入賞領域を前記第１回数よりも多い第２回数開放する第２特別遊技を行う第２特別遊技実行手段と、
前記特別遊技が行われている間の演出を制御する演出制御手段とを備え、
前記演出制御手段は、
前記特別遊技が行われている間、前記特定入賞領域が所定回数開放された後にさらに前記特定入賞領域が開放されるか否かを示す継続示唆演出を行い、当該継続示唆演出の後、さらに前記特定入賞領域が開放されないことを示す第１演出を行う第１演出実行手段と、
前記特別遊技が行われている間、前記特定入賞領域が所定回数開放された後にさらに前記特定入賞領域が開放されるか否かを示す継続示唆演出を行い、当該継続示唆演出の後、さらに前記特定入賞領域が開放されることを示す第２演出を行う第２演出実行手段と、を含み、
前記図柄表示制御手段によって前記第２判定図柄が停止された場合の方が、前記図柄表示制御手段によって前記第１判定図柄が停止された場合よりも、前記第２演出が行われやすい、遊技機。
【手続補正書】
【提出日】平成27年5月7日(2015.5.7)
【手続補正１】
【補正対象書類名】明細書
【補正対象項目名】０００７
【補正方法】変更
【補正の内容】
【０００７】
本発明に係る遊技機は、第１所定条件が成立すると、第１取得情報を取得する第１取得手段と、第２所定条件が成立すると、第２取得情報を取得する第２取得手段と、始動条件が成立すると、前記第１又は第２取得情報に基づいて、特別遊技を行うか否かの特別遊技判定を行う特別遊技判定手段と、前記始動条件の成立に応じて、図柄表示手段において所定の図柄を変動させてから停止させることにより、前記特別遊技判定の結果を報知する図柄表示制御手段と、前記図柄が変動されているときに前記第１取得情報が取得された場合、当該第１取得情報を記憶して前記特別遊技判定の権利として保留する第１保留記憶手段と、前記図柄が変動されているときに前記第２取得情報が取得された場合、当該第２取得情報を記憶して前記特別遊技判定の権利として保留する第２保留記憶手段と、前記図柄の変動パターンを複数記憶する変動パターン記憶手段と、前記取得情報に基づいて、前記複数の変動パターンの中から何れかの変動パターンを選択する変動パターン選択手段と、前記特別遊技の終了からの前記図柄の変動回数に応じた値を記憶する変動回数記憶手段と、前記始動条件が成立する前に、前記取得情報に基づいて、特別遊技を行うか否かの判定（以下、事前判定という）を行う事前判定手段と、前記事前判定手段による事前判定の結果に基づいて、当該事前判定の対象に係る図柄変動の前に、事前判定演出を行う事前判定演出制御手段と、を備え、前記特別遊技判定手段は、前記第１保留記憶手段および前記第２保留記憶手段に前記権利が保留されている場合、前記第１保留記憶手段に記憶された第１取得情報に基づく特別遊技判定よりも、前記第２保留記憶手段に記憶された第２取得情報に基づく特別遊技判定を優先的に行い、前記変動パターン選択手段は、前記特別遊技の終了から前記図柄が第１回数変動するまで、第１変動パターン群の中から何れかの変動パターンを選択する第１選択手段と、前記特別遊技の終了から前記図柄が前記第１回数変動した後、前記第１変動パターン群とは異なる第２変動パターン群の中から何れかの変動パターンを選択する第２選択手段と、を含み、
前記事前判定手段は、
前記変動回数記憶手段に記憶された値と、前記第２保留記憶手段に記憶された保留の数とに基づいて、前記事前判定の対象に係る図柄変動が前記第１変動パターン群または前記第２変動パターン群の何れに基づいて行われるかを事前に判定する変動パターン群事前判定手段を含み、
前記事前判定演出制御手段は、前記変動パターン群事前判定手段による判定結果に基づいて、前記事前判定演出を行う。
【手続補正２】
【補正対象書類名】特許請求の範囲
【補正対象項目名】全文
【補正方法】変更
【補正の内容】
【特許請求の範囲】
【請求項１】
第１所定条件が成立すると、第１取得情報を取得する第１取得手段と、
第２所定条件が成立すると、第２取得情報を取得する第２取得手段と、
始動条件が成立すると、前記第１又は第２取得情報に基づいて、特別遊技を行うか否かの特別遊技判定を行う特別遊技判定手段と、
前記始動条件の成立に応じて、図柄表示手段において所定の図柄を変動させてから停止させることにより、前記特別遊技判定の結果を報知する図柄表示制御手段と、
前記図柄が変動されているときに前記第１取得情報が取得された場合、当該第１取得情報を記憶して前記特別遊技判定の権利として保留する第１保留記憶手段と、
前記図柄が変動されているときに前記第２取得情報が取得された場合、当該第２取得情報を記憶して前記特別遊技判定の権利として保留する第２保留記憶手段と、
前記図柄の変動パターンを複数記憶する変動パターン記憶手段と、
前記取得情報に基づいて、前記複数の変動パターンの中から何れかの変動パターンを選択する変動パターン選択手段と、
前記特別遊技の終了からの前記図柄の変動回数に応じた値を記憶する変動回数記憶手段と、
前記始動条件が成立する前に、前記取得情報に基づいて、特別遊技を行うか否かの判定（以下、事前判定という）を行う事前判定手段と、
前記事前判定手段による事前判定の結果に基づいて、当該事前判定の対象に係る図柄変動の前に、事前判定演出を行う事前判定演出制御手段と、を備え、
前記特別遊技判定手段は、前記第１保留記憶手段および前記第２保留記憶手段に前記権利が保留されている場合、前記第１保留記憶手段に記憶された第１取得情報に基づく特別遊技判定よりも、前記第２保留記憶手段に記憶された第２取得情報に基づく特別遊技判定を優先的に行い、
前記変動パターン選択手段は、
前記特別遊技の終了から前記図柄が第１回数変動するまで、第１変動パターン群の中から何れかの変動パターンを選択する第１選択手段と、
前記特別遊技の終了から前記図柄が前記第１回数変動した後、前記第１変動パターン群とは異なる第２変動パターン群の中から何れかの変動パターンを選択する第２選択手段と、を含み、
前記事前判定手段は、
前記変動回数記憶手段に記憶された値と、前記第２保留記憶手段に記憶された保留の数とに基づいて、前記事前判定の対象に係る図柄変動が前記第１変動パターン群または前記第２変動パターン群の何れに基づいて行われるかを事前に判定する変動パターン群事前判定手段を含み、
前記事前判定演出制御手段は、前記変動パターン群事前判定手段による判定結果に基づいて、前記事前判定演出を行う、遊技機。
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
遊技媒体が受け入れられる受入口が設けられる第一部位と、
前記第一部位に対して後方側に位置する第二部位と、
遊技の進行にもとづいて当り判定を行う判定手段と、
前記当り判定の結果が表示される表示領域を有する表示手段と
を備える遊技機であって、
前記表示手段は、
前記第一部位に対して後方側に位置する前記第二部位に固定されるように取り付けられており、
複数の可動部材が第１の位置関係で配されたキャラクタ形形成部材が前記表示領域の周縁近傍にて設けられてなり、
前記キャラクタ形形成部材の作動を制御する作動制御手段と、
前記判定手段による当り判定の結果に基づいて複数の表示演出のいずれかを出現させる制御を実行可能な演出制御手段と
を備え、
前記作動制御手段は、
前記複数の表示演出のうちの特定の表示演出が出現するときに、前記表示領域の周縁近傍から前記キャラクタ形形成部材を進出させ、前記表示領域の前方において、前記複数の可動部材が前記第１の位置関係とは異なる第２の位置関係で配されることによって特定のキャラクタ形を出現させるキャラクタ現出制御手段
を有しており、
当該遊技機は、さらに、
前記特定のキャラクタ形が出現するように設けられた前記複数の可動部材の動作頻度が高くなる状態が現れるように制御する手段
を有することを特徴とする遊技機。
【請求項２】
前記判定手段は、
前記受入口への遊技媒体の受け入れに基づいて当り判定を行う
請求項１に記載の遊技機。
【請求項３】
前記表示領域には複数の図柄が表示されるものであり、
前記複数の図柄は、前記当り判定の結果に基づいて変動表示され、その後停止表示され
るものである
請求項１または２に記載の遊技機。
【手続補正２】
【補正対象書類名】明細書
【補正対象項目名】０００８
【補正方法】変更
【補正の内容】
【０００８】
手段１：遊技媒体が受け入れられる受入口が設けられる第一部位と、
前記第一部位に対して後方側に位置する第二部位と、
遊技の進行にもとづいて当り判定を行う判定手段と、
前記当り判定の結果が表示される表示領域を有する表示手段と
を備える遊技機であって、
前記表示手段は、
前記第一部位に対して後方側に位置する前記第二部位に固定されるように取り付けられており、
複数の可動部材が第１の位置関係で配されたキャラクタ形形成部材が前記表示領域の周縁近傍にて設けられてなり、
前記キャラクタ形形成部材の作動を制御する作動制御手段と、
前記判定手段による当り判定の結果に基づいて複数の表示演出のいずれかを出現させる制御を実行可能な演出制御手段と
を備え、
前記作動制御手段は、
前記複数の表示演出のうちの特定の表示演出が出現するときに、前記表示領域の周縁近傍から前記キャラクタ形形成部材を進出させ、前記表示領域の前方において、前記複数の可動部材が前記第１の位置関係とは異なる第２の位置関係で配されることによって特定のキャラクタ形を出現させるキャラクタ現出制御手段
を有しており、
当該遊技機は、さらに、
前記特定のキャラクタ形が出現するように設けられた前記複数の可動部材の動作頻度が高くなる状態が現れるように制御する手段
を有することを特徴とする遊技機。
【手続補正書】
【提出日】平成27年8月4日(2015.8.4)
【手続補正１】
【補正対象書類名】特許請求の範囲
【補正対象項目名】全文
【補正方法】変更
【補正の内容】
【特許請求の範囲】
【請求項１】
回転工具によって、一方の部材の端部と他方の部材の端部とを突き合わせ部を摩擦撹拌接合によって接合する摩擦撹拌接合用継手であって、
前記摩擦撹拌接合用継手は、
前記一方の部材の端部の両面に前記一方の部材の厚さ方向に厚みを増した凸部を備える前記一方の部材と、
前記他方の部材の端部の両面に前記他方の部材の厚さ方向に厚みを増した凸部を備えるとともに、前記他方の部材の端部の下面の前記凸部から前記一方の部材の前記凸部の下面に沿って延伸する延伸部を有する前記他方の部材と、
からなり、
前記一方の部材の前記端部を前記延伸部の上面に載置するとともに、前記回転工具の先端部を該延伸部の厚さの範囲内まで圧入して摩擦攪接合が行われるようにしたこと
を特徴とする摩擦撹拌接合用継手。
【請求項２】
前記回転工具は、大径部と、該大径部の下面から下方に延び前記突き合わせ面に圧入される小径部とを有し、前記大径部の下面が、前記突き合わせ部の上端に達した状態で、前記小径部の先端面が前記延伸部の厚さの範囲内に収まるよう、前記小径部の高さと前記延伸部の厚さの関係が定められていることを特徴とする請求項１に記載の摩擦撹拌接合用継手。
【請求項３】
回転工具によって、一方の部材の端部と他方の部材の端部との突き合わせ面を摩擦撹拌接合によって接合する摩擦撹拌接合方法であって、
前記一方の部材の下面を、前記他方の部材の端部下方に形成した延伸部の上面に載置する第１の工程と、
前記一方の部材の端部と前記他方の部材の端部を突き合わせた状態で、前記延伸部の下面を定盤上に位置決め、固定する第２の工程と、
前記一方の部材の端部と前記他方の部材の端部の突き合わせ部の上端から、前記回転工具を圧入し、その先端が、前記突き合わせ面を貫通し、前記延伸部の厚さの範囲内となるように位置決めする第３の工程と、
圧入させた前記回転工具を、前記突き合わせ面に沿って移動させ、該突き合わせ面の周辺を塑性流動させて接合する第４の工程とからなる、
摩擦撹拌接合方法。
【請求項４】
前記第４の工程の後に、前記延伸部と、前記突き合わせ面の下端の予肉部を平滑面に仕上げる第５の工程を備えたことを特徴とする請求項３に記載の摩擦撹拌接合方法。
【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
（ａ）Ｒ１はフェニルであり；
（ｂ）Ｒ２は水素であり；
（ｃ）Ｒ３ａ及びＲ３ｂは独立してＨ又はＣＨ３であり；
（ｄ）Ｒ４はｉＰｒ、ｎＰｒ、ｎＢｕ、２−ブチル、ｔＢｕ、又はベンジルであり；
（ｅ）Ｒ５はＨであり；
（ｆ）Ｒ６はＣＨ３であり；
（ｇ）ＸはＣｌであり；
（ｈ）ＹはＯＨであり；及び
（ｉ）Ｒ７及びＲ８はＨである、
式：
2015024998.tif 000001
によって表される化合物又はその塩。
【請求項２】
以下の構造：
2015024998.tif 000002
を有する、請求項１の化合物。
【請求項３】
以下の構造：
2015024998.tif 000003
を有する、請求項１の化合物。
【請求項４】
以下の構造：
2015024998.tif 000004
を有する、請求項１の化合物。
【請求項５】
以下の構造：
2015024998.tif 000005
を有する、請求項１の化合物。
【請求項６】
請求項１の化合物と薬学的に許容可能な賦形剤を含む薬学的製剤。
【請求項７】
治療的有効量の請求項１の化合物を含むＨＣＶの治療のための医薬。
【請求項８】
別の抗ウイルス剤の治療的有効量を更に含む請求項７の医薬。
【請求項９】
別の抗ウイルス剤がＮＳ５Ａ阻害剤である、請求項８の医薬。
【請求項１０】
別の抗ウイルス剤がＮＳ３阻害剤である、請求項８の医薬。
【請求項１１】
治療的有効量のＮＳ５Ａ阻害剤を更に含む、請求項１０の医薬。
【手続補正書】
【提出日】平成27年7月7日(2015.7.7)
【手続補正１】
【補正対象書類名】特許請求の範囲
【補正対象項目名】全文
【補正方法】変更
【補正の内容】
【特許請求の範囲】
【請求項１】
所定の遊技媒体を用いて遊技を行う遊技機であって、
遊技中に、遊技者に示される視聴覚的な演出に用いられる複数種類の演出装置と、
所定の条件下で、前記遊技媒体を遊技者に払い出すための払出装置と、
前記遊技の進行を統合制御する主制御装置と、
前記主制御装置から出力される指示情報に基づき、前記遊技の遊技状態に応じて前記複数種類の演出装置を制御する演出制御装置と、
前記主制御装置と前記演出制御装置とを接続し、該主制御装置から演出制御装置への単方向で信号伝達を行う単方向信号線とを有し、
前記主制御装置は、
前記遊技中に、前記遊技媒体の払い出しに関わる所定の条件の成否を判定する判定部と、
前記判定部による判定結果を含む遊技状態に基づいて、前記複数種類の演出装置で実行されるべき演出内容を指示する主制御指示情報を前記演出制御装置に出力する指示情報出力部とを有し、
前記演出制御装置は、
前記主制御装置から前記主制御指示情報を入力する入力部と、
各演出装置の種類に応じた視聴覚的な演出内容を規定する統合演出命令データを、複数種類記憶した統合演出命令データ記憶部と、
前記主制御指示情報に基づいて特定される前記遊技状態に応じて、前記統合演出命令データ記憶部に記憶された統合演出命令データのいずれかを選択し、選択した統合演出命令データに従って、前記各演出装置の演出を制御するための動作情報を出力する統合演出制御部と、
当該演出制御装置が行う処理をどのような機能で実行すべきかを指示するファンクション及び該ファンクションの処理に必要な情報を規定するパラメータが、実行すべき順序で複数格納された種別演出命令データを、それぞれの演出装置に対して複数種類記憶する種別演出命令データ記憶部と、
前記各演出装置に対応づけて設けられ、前記主制御指示情報に基づいて前記種別演出命令データ記憶部に記憶された前記種別演出命令データのいずれかを選択し、選択した種別演出命令データに格納されたファンクションおよび該ファンクションに対して設定されているパラメータに基づいて前記各演出装置の出力状態を制御する種別演出制御部と、
を備え、
前記種別演出制御部は、前記統合演出制御部から出力された前記動作情報に基づいて前記各演出装置の制御を実行し、
前記統合演出命令データは複数のコマンドで構成され、前記統合演出命令データ記憶部において、前記複数のコマンドが実行すべき順序となるアドレス順に格納され、
前記コマンドは、前記演出制御実行部が実行すべき機能を指示する処理命令で構成されたデータ、もしくは前記処理命令と前記処理命令の処理内容を指示する変数であるパラメータとを一組として構成されたデータのいずれかであり、
前記処理命令には、演出の制御を行うための所定の範囲の処理を繰り返し実行することを指示するループ命令を含むことができ、
前記統合演出制御部は、
前記コマンドを前記アドレス順に順次読み込み、読み込んだコマンドに含まれる前記処理命令および該処理命令に対して設定されているパラメータとによって指定された処理を実行するとともに、
前記処理命令が前記ループ命令である時は、ループ命令から所定の範囲までの各前記ファンクション及び該ファンクションに対して設定されているパラメータによって指定された処理を、前記ループ命令に対して設定されているパラメータにより指定された回数分繰り返し実行する、
ことを特徴とする遊技機。
【請求項２】
前記遊技機は、パチンコ式遊技機である請求項１に記載の遊技機。
【請求項３】
前記遊技機は、回胴式遊技機である請求項１に記載の遊技機。
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能とされたスロットマシンにおいて、
遊技者により操作可能な第１の操作手段と、
遊技者により操作可能な第２の操作手段と、
前記第１の操作手段の操作及び前記第２の操作手段の操作に応じてゲームの進行制御を行うゲーム進行制御手段と、
遊技者にとって有利な特典を付与するか否かを決定する特典付与決定手段と、
前記特典付与決定手段により前記特典を付与する旨が決定される可能性のある特典付与可能条件が成立したときに、前記可変表示部の表示結果として特定表示結果を導出させる制御を行う特定表示結果導出制御手段と、
前記特定表示結果が導出されたときに、該特定表示結果が導出された次のゲーム以降のゲームにおいて、前記第１の操作手段の操作も前記第２の操作手段の操作もゲームの進行制御に関与せず、遊技者の操作によるゲームの進行を一時的に不能化する不能化状態に制御するか否かを決定する不能化状態決定手段と、
前記特定表示結果が導出され、前記不能化状態決定手段が前記不能化状態に制御すると決定した場合に、前記特定表示結果が導出された次のゲーム以降のゲームにおいて前記不能化状態に制御する不能化状態制御手段と、
前記不能化状態において、ゲームの進行制御に関与しない操作手段の操作に基づいて特典に関する特定演出を実行することが可能な特定演出実行手段と、
を備え、
前記特典付与決定手段は、前記特典を付与する旨を決定する第１の決定、及び前記特典を付与する旨を決定するが前記第１の決定とは異なる第２の決定を行うことが可能であり、
前記特定表示結果導出制御手段は、前記特典付与決定手段が第１の決定を行った場合にも前記第２の決定を行った場合にも前記特定表示結果を導出可能に制御し、
前記不能化状態決定手段は、前記特典付与決定手段が前記第１の決定を行って前記特定表示結果が導出された場合と、前記第２の決定を行って前記特定表示結果が導出された場合と、で異なる割合にて前記不能化状態に制御する旨を決定し、
前記不能化状態の終了後の状態として、前記第１の操作手段の操作がゲームの進行制御に関与し、前記第２の操作手段の操作がゲームの進行制御に関与しない特定進行制御状態があり、
前記特定演出実行手段は、終了後の状態が前記特定進行制御状態となる不能化状態において、前記第１の操作手段の操作には基づかず前記第２の操作手段の操作に基づいて前記特典に関する特定演出を実行することが可能である
ことを特徴とするスロットマシン。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
本発明は、操作を一時的に無効化する無効化状態に制御することに伴う興趣を高めることができるスロットマシンを提供することを目的とする。
【手続補正４】
【補正対象書類名】明細書
【補正対象項目名】０００９
【補正方法】変更
【補正の内容】
【０００９】
上記課題を解決するために、本発明の請求項１に記載のスロットマシンは、
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能とされたスロットマシンにおいて、
遊技者により操作可能な第１の操作手段と、
遊技者により操作可能な第２の操作手段と、
前記第１の操作手段の操作及び前記第２の操作手段の操作に応じてゲームの進行制御を行うゲーム進行制御手段と、
遊技者にとって有利な特典を付与するか否かを決定する特典付与決定手段と、
前記特典付与決定手段により前記特典を付与する旨が決定される可能性のある特典付与可能条件が成立したときに、前記可変表示部の表示結果として特定表示結果を導出させる制御を行う特定表示結果導出制御手段と、
前記特定表示結果が導出されたときに、該特定表示結果が導出された次のゲーム以降のゲームにおいて、前記第１の操作手段の操作も前記第２の操作手段の操作もゲームの進行制御に関与せず、遊技者の操作によるゲームの進行を一時的に不能化する不能化状態に制御するか否かを決定する不能化状態決定手段と、
前記特定表示結果が導出され、前記不能化状態決定手段が前記不能化状態に制御すると決定した場合に、前記特定表示結果が導出された次のゲーム以降のゲームにおいて前記不能化状態に制御する不能化状態制御手段と、
前記不能化状態において、ゲームの進行制御に関与しない操作手段の操作に基づいて特典に関する特定演出を実行することが可能な特定演出実行手段と、
を備え、
前記特典付与決定手段は、前記特典を付与する旨を決定する第１の決定、及び前記特典を付与する旨を決定するが前記第１の決定とは異なる第２の決定を行うことが可能であり、
前記特定表示結果導出制御手段は、前記特典付与決定手段が第１の決定を行った場合にも前記第２の決定を行った場合にも前記特定表示結果を導出可能に制御し、
前記不能化状態決定手段は、前記特典付与決定手段が前記第１の決定を行って前記特定表示結果が導出された場合と、前記第２の決定を行って前記特定表示結果が導出された場合と、で異なる割合にて前記不能化状態に制御する旨を決定し、
前記不能化状態の終了後の状態として、前記第１の操作手段の操作がゲームの進行制御に関与し、前記第２の操作手段の操作がゲームの進行制御に関与しない特定進行制御状態があり、
前記特定演出実行手段は、終了後の状態が前記特定進行制御状態となる不能化状態において、前記第１の操作手段の操作には基づかず前記第２の操作手段の操作に基づいて前記特典に関する特定演出を実行することが可能である
ことを特徴としている。
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
粉末Ｘ線回折スペクトルにおいて、２θで表される回折角度として、２２．１±０．２°に回折ピークを有するとともに、６．１±０．２°、９．５±０．２°、１４．１±０．２°、１６．８±０．２°及び２３．８±０．２°から選択された少なくとも１つの角度に回折ピークを有するリファキシミン結晶。
【請求項２】
２θで表される回折角度として、６．１±０．２°、７．９±０．２°、８．４±０．２°、８．９±０．２°、９．５±０．２°、１２．７±０．２°、１４．１±０．２°、１６．８±０．２°、１９．６±０．２°、２１．１±０．２°、２２．１±０．２°及び２３．８±０．２°に回折ピークを有する請求項１記載の結晶。
【請求項３】
粉末Ｘ線回折スペクトルにおいて、２θで表される回折角度として、５．１〜６．１°に２つ以上の回折ピークを有するリファキシミン結晶。
【請求項４】
２θで表される回折角度として、５．３±０．２°、５．９±０．２°、７．４±０．２°、７．９±０．２°、８．７±０．２°に回折ピークを有する請求項３記載の結晶。
【請求項５】
リファキシミンを水和物の形態で含有している請求項１〜４のいずれかに記載の結晶。
【請求項６】
水分含量が０．５〜３重量％である請求項５記載の結晶。
【請求項７】
粉末Ｘ線回折スペクトルにおいて、互いに異なる回折角度２θに回折ピークを有する複数のリファキシミン結晶で構成された混晶であって、請求項１〜６のいずれかに記載の結晶を含む混晶。
【請求項８】
リファキシミンと晶析溶媒とを含む溶液を冷却して過飽和状態にし、この過飽和状態から結晶化して請求項１〜６のいずれかに記載のリファキシミン結晶を製造する方法であって、前記晶析溶媒が、メタノール又はＣ５−８アルカンを含む溶媒である方法。
【請求項９】
請求項１〜７のいずれかに記載の結晶又は混晶と、薬理学的に許容される担体とを含む医薬組成物。
【請求項１０】
請求項１〜７のいずれかに記載の結晶又は混晶を含む抗菌剤。
【請求項１１】
潰瘍性大腸炎、クローン病、クロストリジウム・ディフィシル関連下痢、旅行者下痢、赤痢、憩室炎、小腸細菌過剰増殖、過敏性腸症候群、回腸嚢炎、慢性膵炎、膵不全及び肝性脳症から選択された少なくとも一種の疾患を予防又は治療するための予防又は治療剤であって、請求項１〜７のいずれかに記載の結晶又は混晶を含む予防又は治療剤。
【手続補正２】
【補正対象書類名】明細書
【補正対象項目名】発明の名称
【補正方法】変更
【補正の内容】
【発明の名称】リファキシミン結晶
【手続補正３】
【補正対象書類名】明細書
【補正対象項目名】００２２
【補正方法】変更
【補正の内容】
【００２２】
本発明の医薬組成物（又は医薬製剤）は、上記回折ピークで特徴付けられる結晶又は混晶と、薬理学的に許容される担体成分とを含んでいる。また、本発明は、上記回折ピークで特徴付けられる結晶又は混晶を含む抗菌剤を包含する。さらに、上記回折ピークで特徴付けられる結晶又は混晶は、潰瘍性大腸炎、クローン病、クロストリジウム・ディフィシル関連下痢、旅行者下痢、赤痢、憩室炎、小腸細菌過剰増殖、過敏性腸症候群、回腸嚢炎、慢性膵炎、膵不全及び肝性脳症から選択された少なくとも一種の疾患を予防又は治療するために適している。
【手続補正４】
【補正対象書類名】明細書
【補正対象項目名】００３２
【補正方法】変更
【補正の内容】
【００３２】
【表１】
2013184902.tif 000001
【手続補正５】
【補正対象書類名】明細書
【補正対象項目名】００４２
【補正方法】変更
【補正の内容】
【００４２】
【表６】
2013184902.tif 000002
【手続補正６】
【補正対象書類名】明細書
【補正対象項目名】００４４
【補正方法】変更
【補正の内容】
【００４４】
【表７】
2013184902.tif 000003
【手続補正７】
【補正対象書類名】明細書
【補正対象項目名】００６２
【補正方法】変更
【補正の内容】
【００６２】
冷却法によりリファキシミンを結晶化（又は晶析）する場合、冷却終了後の溶液（又は液状混合物）の温度（最低の到達冷却温度）は、例えば、１〜３０℃、好ましくは５〜２５℃程度であってもよい。冷却速度は、例えば、０．０１〜１０℃／分、好ましくは０．０５〜７℃／分、さらに好ましくは０．１〜５℃／分程度であってもよい。
【手続補正８】
【補正対象書類名】明細書
【補正対象項目名】００８１
【補正方法】変更
【補正の内容】
【００８１】
合成例１
機械式撹拌機、温度計および還流冷却器を備えた三口フラスコに、室温で、脱イオン水１２０ｍＬ、エタノール９６ｍＬ、リファマイシンＯ ６３．５ｇおよび２−アミノ−４−メチルピリジン２７．２ｇを仕込んだ。この溶液を４７±３℃に加熱し、この温度で５時間撹拌し、次いで、２０±３℃に冷却し、脱イオン水９ｍＬとエタノール１２．６ｍＬとアスコルビン酸１．６８ｇと濃塩酸水溶液９．２８ｇとからなる別途調製された混合液を、３０分かけて添加した。添加完了後、内温２０±３℃で３０分間撹拌し、次いで、同じ温度に保ちながら、濃塩酸７．７２ｇをｐＨ２．０になるまで滴下した。滴下完了後、内温２０℃で３０分間撹拌し、次いで、析出物はろ過され、脱イオン水３２ｍＬおよびエタノール２５ｍＬからなる混合溶媒により洗浄して、リファキシミンを得た。
【手続補正９】
【補正対象書類名】明細書
【補正対象項目名】０１１１
【補正方法】変更
【補正の内容】
【０１１１】
実施例および比較例で得られた結晶の各物性を評価した結果を表１５〜１６に示す。なお、表１６中、Ａｍはアモルファスを意味する。また、実施例及び比較例で得られた結晶において、崩壊試験第２液中での撹拌時間と各種結晶形の溶解度との関係は図８に示す。
【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
SAP155阻害剤、FIR-SAP155阻害剤、およびFIRΔexon2-SAP155阻害剤からなる群から選択される１種または２種以上を有効成分として含有する癌の予防剤および／または治療剤。
【請求項２】
SAP155阻害剤を有効成分として含有し、当該SAP155阻害剤が二重鎖RNA部分に下記のヌクレオチド配列を含むsiRNAである、癌の予防剤および／または治療剤：
【化１】
2013184887.tif 000001
【請求項３】
FIR-SAP155阻害剤を有効成分として含有し、当該FIR-SAP155阻害剤がFIR-SAP155結合阻害剤である、癌の予防剤および／または治療剤。
【請求項４】
前記FIR-SAP155結合阻害剤が、下記の化学式からなる群から選択される１種または２種以上の化合物である、請求項３に記載の癌の予防剤および／または治療剤：
【化２】
2013184887.tif 000002
【請求項５】
前記FIR-SAP155結合阻害剤が、下記の化学式からなる群から選択される１種または２種以上の化合物である、請求項３に記載の癌の予防剤および／または治療剤：
【化３】
2013184887.tif 000003
【請求項６】
FIRΔexon2-SAP155阻害剤を有効成分として含有し、当該FIRΔexon2-SAP155阻害剤がFIRΔexon2-SAP155結合阻害剤である、癌の予防剤および／または治療剤。
【請求項７】
前記FIRΔexon2-SAP155結合阻害剤が、下記の化学式からなる群から選択される１種または２種以上の化合物である、請求項６に記載の癌の予防剤および／または治療剤：
【化４】
2013184887.tif 000004
【請求項８】
前記FIRΔexon2-SAP155結合阻害剤が、下記の化学式からなる群から選択される１種または２種以上の化合物である、請求項６に記載の癌の予防剤および／または治療剤：
【化５】
2013184887.tif 000005
【請求項９】
試験物質を、SAP155、FIR、およびFIRΔexon2の少なくともいずれかと接触させる工程と、
前記試験物質がSAP155、FIR、およびFIRΔexon2の少なくともいずれかの機能、あるいは、SAP155とFIRとの結合、またはSAP155とFIRΔexon2との結合の少なくともいずれかを阻害するか否かを判定する工程と、
を含む、癌の予防剤および／または治療剤の候補物質の同定方法。
【手続補正書】
【提出日】平成27年3月20日(2015.3.20)
【手続補正２】
【補正対象書類名】特許請求の範囲
【補正対象項目名】全文
【補正方法】変更
【補正の内容】
【特許請求の範囲】
【請求項１】
中空を有するシリカナノ粒子の該中空内に、ｎ個（ｎは６〜６０の整数を表す。）の、Ｔｉ、Ｆｅ、Ｃｏ、Ｎｉ、Ｃｕ、Ｚｎ、Ｒｕ、Ｒｈ、Ｐｄ、Ｃｄ、Ｏｓ、Ｉｒ及びＰｔからなる群から選ばれる一種の遷移金属原子Ｍと、２ｎ個の二座有機配位子とから自己組織的に形成された遷移金属錯体が内包されていることを特徴する、遷移金属錯体内包シリカナノ粒子。
【請求項２】
ｎ個（ｎは６〜６０の整数を表す。）の、Ｔｉ、Ｆｅ、Ｃｏ、Ｎｉ、Ｃｕ、Ｚｎ、Ｒｕ、Ｒｈ、Ｐｄ、Ｃｄ、Ｏｓ、Ｉｒ及びＰｔからなる群から選ばれる一種の遷移金属原子Ｍと、２ｎ個の、下記式（Ｉ）
【化１】
2013184855.tif 000001
｛式中、Ｒ１、Ｒ２はそれぞれ独立して、ハロゲン原子、置換基を有していてもよいアルキル基、置換基を有していてもよいアルコキシル基、シアノ基又はニトロ基を表す。
ｍ１、ｍ２はそれぞれ独立して、０〜４の整数を表す。ｍ１、ｍ２が２以上のとき、Ｒ１同士、Ｒ２同士はそれぞれ同一であっても、相異なっていてもよい。
Ａは、下記式（ａ）〜（ｆ）
【化２】
2013184855.tif 000002
〔Ｒ３は置換基を有していてもよい炭素数１〜６のアルキル基を表し、Ｒ４は置換基を有していてもよい炭素数１〜６のアルキル基、又は置換基を有していてもよい炭素数１〜６のアルコキシ基を表し、Ｄは連結基を表し、Ｚは、酸素原子、硫黄原子、ＮＲ８（Ｒ８は、水素原子又は炭素数１〜６のアルキル基を表す。）〕のいずれかを表す。
Ｇは、エチニレン基又はｐ−フェニレン基を表し、ｔは０〜６の整数を表す。ｔが２以上のとき、複数のＧ同士は同一であっても相異なっていてもよい。｝
で表される二座有機配位子とから、自己組織的に形成された遷移金属錯体に、式：Ｓｉ（ＯＲ５）４（Ｒ５は置換基を有していてもよい炭素数１〜６のアルキル基を表す。）で示されるテトラアルコキシシラン、又は式：Ｓｉ（ＯＲ６）３（Ｒ７）（式中、Ｒ６は置換基を有していてもよい炭素数１〜６のアルキル基を表し、Ｒ７は、置換基を有していてもよい炭素数１〜２０のアルキル基、又は置換基を有していてもよいアリール基を表す。）で示されるアルコキシシランを、前記遷移金属錯体に対して、１，０００〜３０，０００当量加えてゾルゲル反応を行い、前記遷移金属錯体の外周部にケイ素酸化物層を形成することで得られたものであることを特徴とする、請求項１に記載の遷移金属錯体内包シリカナノ粒子。
【請求項３】
前記ｎが、６、１２、２４、３０又は６０であることを特徴する、請求項１又は２に記載の遷移金属錯体内包シリカナノ粒子。
【請求項４】
前記遷移金属原子Ｍが、Ｐｄ又はＰｔである請求項１〜３のいずれかに記載の遷移金属錯体内包シリカナノ粒子。
【請求項５】
前記遷移金属錯体が、前記二座有機配位子として、下記式（Ｉ−１ａ）
【化３】
2013184855.tif 000003
（式中、Ａ、Ｒ１、Ｒ２、ｍ１、ｍ２は前記と同じ意味を表す。）で示される化合物を用いて得られたものであることを特徴とする、請求項１〜４のいずれかに記載の遷移金属錯体内包シリカナノ粒子。
【請求項６】
前記遷移金属錯体が、前記二座有機配位子として、下記式（Ｉ−１ａ１）
【化４】
2013184855.tif 000004
（式中、Ｒ３は前記と同じ意味を表し、ｍ３は１〜６の整数を表す。）で示される化合物を用いて得られたものである、請求項１〜４のいずれかに記載の遷移金属錯体内包シリカナノ粒子。
【請求項７】
前記シリカナノ粒子の粒子径が、４〜５０ｎｍである請求項１〜６のいずれかに記載の遷移金属錯体内包シリカナノ粒子。
【請求項８】
前記シリカナノ粒子のケイ素酸化物層の厚みが、１〜２５ｎｍである請求項１〜７のいずれかに記載の遷移金属錯体内包シリカナノ粒子。
【請求項９】
中空を有するシリカナノ粒子の該中空内に、遷移金属酸化物のクラスター〔（ＭＯｘ）ｎ、Ｍは、Ｔｉ、Ｆｅ、Ｃｏ、Ｎｉ、Ｃｕ、Ｚｎ、Ｒｕ、Ｒｈ、Ｐｄ、Ｃｄ、Ｏｓ、Ｉｒ及びＰｔからなる群から選ばれる一種を表し、ｎは６〜６０の整数を表し、ｘは、Ｍの原子価の１/２を表す。〕が内包されていることを特徴とする、遷移金属酸化物クラスター内包シリカナノ粒子。
【請求項１０】
前記ｎが、６、１２、２４、３０又は６０であることを特徴する、請求項９に記載の遷移金属酸化物クラスター内包シリカナノ粒子。
【請求項１１】
前記遷移金属原子Ｍが、Ｐｄ又はＰｔである請求項９又は１０に記載の遷移金属酸化物クラスター内包シリカナノ粒子。
【請求項１２】
請求項１〜８のいずれかに記載の遷移金属錯体内包シリカナノ粒子を、酸化的雰囲気下で焼成して得られたものである、請求項９〜１１のいずれかに記載の遷移金属酸化物クラスター内包シリカナノ粒子。
【請求項１３】
中空を有するシリカナノ粒子の該中空内に、遷移金属のナノクラスター（Ｍｎ、Ｍは、Ｔｉ、Ｆｅ、Ｃｏ、Ｎｉ、Ｃｕ、Ｚｎ、Ｒｕ、Ｒｈ、Ｐｄ、Ｃｄ、Ｏｓ、Ｉｒ及びＰｔからなる群から選ばれる一種を表し、ｎは６〜６０の整数を表す。）が内包されていることを特徴とする、遷移金属クラスター内包シリカナノ粒子。
【請求項１４】
前記ｎが、６、１２、２４、３０又は６０であることを特徴する、請求項１２に記載の遷移金属クラスター内包シリカナノ粒子。
【請求項１５】
前記遷移金属原子Ｍが、Ｐｄ又はＰｔである請求項１３又は１４に記載の遷移金属クラスター内包シリカナノ粒子。
【請求項１６】
請求項９〜１２に記載の遷移金属酸化物クラスター内包シリカナノ粒子の、中空内に存在する遷移金属酸化物を還元することにより得られたものである、請求項１３〜１５のいずれかに記載の遷移金属クラスター内包シリカナノ粒子。
【手続補正書】
【提出日】平成27年3月9日(2015.3.9)
【手続補正１】
【補正対象書類名】明細書
【補正対象項目名】０００６
【補正方法】変更
【補正の内容】
【０００６】
そのため本発明のインクジェット記録装置は、インクを吐出して記録動作を行なう記録ヘッドと、前記記録ヘッドへ供給されるインクを貯留するインクタンクと、前記インクタンク内のインクを攪拌する攪拌動作を行う攪拌部と、を備えるインクジェット記録装置において、前回の攪拌動作からの経過時間と、前記インクタンクの形状、容量またはインクの種類の内の少なくとも１つと、の情報に基づいて、前記攪拌部の攪拌動作を制御する制御手段を有することを特徴とする。
【手続補正２】
【補正対象書類名】特許請求の範囲
【補正対象項目名】全文
【補正方法】変更
【補正の内容】
【特許請求の範囲】
【請求項１】
インクを吐出して記録動作を行なう記録ヘッドと、
前記記録ヘッドへ供給されるインクを貯留するインクタンクと、
前記インクタンク内のインクを攪拌する攪拌動作を行う攪拌部と、を備えるインクジェット記録装置において、
前回の攪拌動作からの経過時間と、前記インクタンクの形状、容量またはインクの種類の内の少なくとも１つと、の情報に基づいて、前記攪拌部の攪拌動作を制御する制御手段を有することを特徴とするインクジェット記録装置。
【請求項２】
前記インクタンクに設けられ前記インクタンクに関する情報を記憶する第１の記憶手段を有し、前記インクタンクの形状に関する情報が前記第１の記憶手段に記憶されることを特徴とする請求項１に記載のインクジェット記録装置。
【請求項３】
前記制御手段は、前記第１の記憶手段に記憶された前記インクタンクの形状に関する情報に基づき、前記撹拌部の前記攪拌動作を制御することを特徴とする請求項２に記載のインクジェット記録装置。
【請求項４】
前記インクタンク内のインク残量に関する情報を記憶する第２の記憶手段を備え、
前記制御手段は、さらに前記第２の記憶手段に記憶された前記インクタンク内の残量に関する情報に基づき、前記撹拌部の前記攪拌動作を制御することを特徴とする請求項３に記載のインクジェット記録装置。
【請求項５】
前記インクの種類に関する情報を記憶する第３の記憶手段を備え、
前記制御手段は、さらに前記第３の記憶手段に記憶された前記インクの種類に関する情報に基づき、前記撹拌部の前記攪拌動作を制御することを特徴とする請求項３または請求項４に記載のインクジェット記録装置。
【請求項６】
前記インクの成分に顔料が含まれており、
前記制御手段は、前記顔料の均一化が困難なほど、前記撹拌部の前記撹拌動作を強くするか、または前記撹拌動作を長時間動作させるか、の少なくとも一方を実行させることを特徴とする請求項１ないし請求項５のいずれか１項に記載のインクジェット記録装置。
【請求項７】
前記インクタンクから供給される前記インクを一時的に保持するためのサブタンクを備え、
前記制御手段は、前記撹拌部に前記サブタンクの撹拌動作と前記インクタンクの撹拌動作とを同時に実施させることを特徴とする請求項１ないし請求項６のいずれか１項に記載のインクジェット記録装置。
【請求項８】
前記撹拌部は、前記サブタンクと前記記録ヘッドとの間に設けた弁手段を備えることを特徴とする請求項１ないし請求項７のいずれか１項に記載のインクジェット記録装置。
【請求項９】
前回の攪拌からの経過時間をタイマーによって計測することを特徴とする請求項１ないし請求項８のいずれか１項に記載のインクジェット記録装置。